(57)【要約】【課題】電線を左手で持ってラジオペンチを右手に持ったままで必要な長さのジャンパ線を容易に得ることができるラジオペンチを得る。【解決手段】ラジオペンチの咥部１５に、ユニバーサル基板１００のピッチｐ１の第１の整数倍（０含まず：１、２、３）となる咥部横幅利用目盛印Ｍｐ（Ｍｐ１、Ｍｐ２、Ｍｐ３）と第１の整数倍（０含まず：１、２、３）以上の第２の整数倍（４、５、６）の咥部縦長利用目盛印Ｍｑ（Ｍｑ４、Ｍｑ５、Ｍｑ６）とを備えて必要な長さのジャンパ線１１６を得る。【選択図】図２
2017071035.tif 000002
【特許請求の範囲】
【請求項１】
縦横列に一定のピッチｐ１間隔でスルーホール（１１１）を設けた基板（１００）における必要な長さのジャンパ線（１１６）を得るための目盛（Ｍｉ）を、先端（１９）に向かって次第に厚みが直線状に低下するテーパ形状の直状型の咥部（１５）に設けたラジオペンチであって、
前記咥部（１５）は、
前記ピッチｐ１の第１の整数倍（「０」含まず）となる各々の咥部横幅ｗｉとなる各々の位置に、電線（１１５）を横に咥えて前記各々の咥部横幅（ｗｉ）となる長さのジャンパ線（１１６）を得るための咥部横幅利用目盛印（Ｍｐ）と、
前記ピッチｐ１に一致する前記咥部横幅（ｗｉ）に対して前記第１の整数倍（「０」含まず）以上の第２の整数倍（「０」含まず）となる各々の縦長（ＴＬｉ）に相当する先端（１９）からの各々の位置に、先端（１９）側から前記電線（１１５）を咥えて前記各々の縦長（ＴＬｉ）となるジャンパ線（１１６）を得るための咥部縦長利用目盛印（Ｍｑ）とで前記目盛（Ｍｉ）を設けていることを特徴とするラジオペンチ。
【請求項２】
前記咥部（１５）は、
平な面で被咥物を咥えるため右側アーム咥部平面部（１５ａｃ）を有する右側アーム咥部（１５ａ）と前記右側アーム咥部平面部（１５ａｃ）に対向する左側アーム咥部平面部（１５ｂｃ）を有する左側アーム咥部（１５ｂ）とからなり、
前記咥部横幅利用目盛印（Ｍｐ）は、
前記右側アーム咥部平面部（１５ａｃ）又は前記左側アーム咥部平面部（１５ｂｃ）における前記ピッチｐ１の第１の整数倍（「０」含まず）となる前記各々の咥部横幅ｗｉを得る各々の位置を咥部横幅利用目盛印位置（Ｍｄｐｉ）とし、この咥部横幅利用目盛印位置Ｍｄｐｉにおける前記右側アーム咥部（１５ａ）又は前記右側アーム咥部（１５ａ）のいずれか若しくは両方の表面にそれぞれ設けられており、
前記咥部縦長利用目盛印（Ｍｑ）は、
前記先端１９から前記縦長（ＴＬｉ）となる前記右側アーム咥部平面部（１５ａｃ）又は前記左側アーム咥部平面部（１５ｂｃ）の各々の位置を咥部縦長利用目盛印位置（Ｍｄｑｉ）とし、この咥部縦長利用目盛印位置（Ｍｄｑｉ）における前記右側アーム咥部（１５ａ）又は前記右側アーム咥部（１５ａ）のいずれか若しくは両方の表面に、それぞれ設けられていることを特徴とする請求項１記載のラジオペンチ。
【請求項３】
前記咥部横幅利用目盛印（Ｍｐ）の位置である咥部横幅利用目盛印位置（Ｍｄｐｉ）までの縦長（ＴＬｉ）は、先端（１９）から、
ＬＭｉ＝ａ×（ピッチｐｉ―ｂ）／（ｃ−ｂ）
但し、    ａ：右側アーム咥部平面部（１５ａｃ）又は左側アーム咥部平面部
（１５ｂｃ）の縦長（テーパ面間隔）
ｐｉ：ピッチｐ１の整数倍（「０」含まず）
ｂ：先端横幅
ｃ：咥部上面最大横幅
にされていることを特徴とする請求項１又は２に記載のラジオペンチ。
【請求項４】
前記咥部横幅利用目盛印（Ｍｐ）と前記咥部縦長利用目盛印（Ｍｑ）との両方若しくはいずれか一方は、丸状又は直線状にされ、これらは色の塗布若しくは溝で形成されていることを特徴とする請求項１乃至３のいずれかに記載のラジオペンチ。
【請求項５】
前記直線状の溝は、
前記基板（１００）で用いる電線（１１５）の直径の略半分の径で形成していることを特徴とする請求項４記載のラジオペンチ。
【請求項６】
前記右側アーム咥部平面部（１５ａｃ）又は左側アーム咥部平面部（１５ｂｃ）の先端（１９）の中央から最後の前記咥部横幅利用目盛印（Ｍｐ）に、この右側アーム咥部平面部（１５ａｃ）又は左側アーム咥部平面部（１５ｂｃ）の中心線である咥部平面中心線（Ｌｈ）に沿って縦長利用溝（ＴＭｉ）を形成していることを特徴とする請求項２記載のラジオペンチ。
【請求項７】
前記咥部横幅利用目盛印（Ｍｐ）、前記咥部縦長利用目盛印（Ｍｑ）の各々には該当するピッチを示す記号を設けていることを特徴とする請求項１乃至６のいずれかに記載のラジオペンチ。
【請求項８】
前記咥部（１５）の切断刃部（１１）は、右側切断刃（１１ａ）と左側切断刃（１１ｂ）とで構成されており、
前記右側切断刃（１１ａ）及び左側切断刃（１１ｂ）は、刃筋（２０）が前記切断刃部（１１）の側面と同一面上に形成されていることを特徴とする請求項１乃至７のいずれかに記載のラジオペンチ。
【発明の詳細な説明】
【技術分野】
【０００１】
本発明は、ラジオペンチに関し、特にユニバーサル基板で用いる必要な長さのジャンパ線を容易に得ることができるラジオペンチに関する。
【背景技術】
【０００２】
一般に電子工作においては、自在基板と称されるユニバーサル基板に電子部品を配置して、ジャンパ線で接続する方法が多く用いられる。
【０００３】
ユニバーサル基板は、種々の大きさがあるが、縦横の両方向に１／１０インチ（２．５４ｍｍ）間隔で穴（以下スルーホールという）が開いているものが主である。
【０００４】
そして、電子部品は複数の脚を有していて、これらの脚の相互の間隔は１／１０インチの整数倍（「０」を含まず）となっているのがほとんどである。
【０００５】
このため、電子工作をする者（以下工作者という）は、電子部品をユニバーサル基板の任意の位置に配置することが可能となっている。
【０００６】
前述のユニバーサル基板における電子部品の配置は、電子部品の各足の役割や、相互の関連などが考慮されて各電子部品の配置が決定される。
【０００７】
そして、これらの電子部品の結線は、電子部品の脚を適当な長さに切断して折り曲げて利用するものの、別途、改めて電線で接続する場合が多い。
【０００８】
このユニバーサル基板を用いて回路を作成する具体的な手順を、図１２を用いて説明する。図１２（ａ）には、スルーホール１１１同士（中心）の間隔が１／１０インチ（２．５４ｍｍ）のユニバーサル基板１００を示し、図１２（ｂ）にはユニバーサル基板１００の表面に電子部品である半導体素子１１２の配置を示して説明する。
【０００９】
前述の１／１０インチ（２．５４ｍｍ）を１単位、２／１０インチ（５．０８ｍｍ）を２単位、３/１０インチ（７．６２ｍｍ）を３単位、４/１０インチ（１０．１６ｍｍ）を４単位、５/１０インチ（１２．７０ｍｍ）を５単位、６/１０インチ（１５．２４ｍｍを６単位とし、ピッチｐ１、ピッチｐ２、ピッチｐ３、ピッチｐ４、ピッチｐ５、ピッチｐ６と称する。
【００１０】
また、図１２（ｃ）には半導体素子１１２を配置したユニバーサル基板１００の裏面を示し、図１２（ｄ）には電線１１５（スズメッキ線等）を巻き付けた電線ドラム１１３を示し、図１２（ｅ）にはユニバーサル基板１００の裏面の半導体素子１１２の脚とスルーホール１１１とに電線１１５を切断して折り曲げて生成したジャンパ線１１６を接続した図を示して説明する。
【００１１】
図１２（ａ）に示すユニバーサル基板１００の表面に半導体素子１１２の脚をスルーホール１１１に差し込んで（図１２（ｂ））、ユニバーサル基板１００の裏面に脚を突き出させる（図１２（ｃ））。そして、図１２（ｄ）に示す電線ドラム１１３の電線１１５（スズメッキ線等）を引き出す。ピッチｐ１（１／１０インチ（２．５４ｍｍ）は、人の指先で扱うには小さいのでラジオペンチを用いて折り曲げることになる。
【００１２】
そして、ラジオペンチで電線１１５を必要な長さに切断して（ピッチｐ１、ピッチｐ２・・）、かつラジオペンチで両端を適当に折り曲げる。そして、このジャンパ線１１６の一端を半導体素子１１２の脚に半田付けし、他端を適当な位置のスルーホール１１１に半田付する。
【００１３】
前述のジャンパ線１１６を得るには、電線ドラム１１３の電線１１５を引き出して欲しい長さを計測しなければならない。この計測には定規又はユニバーサル基板１００のピッチＰｉ（ｐ１、ｐ２、ｐ３、ｐ４、ｐ５、ｐ６）を用いて計測するのが一般的である。
【００１４】
ユニバーサル基板１００のピッチＰｉを用いて４単位であるピッチｐ４の長さのジャンパ線１１６を得る場合は、片手で電線１１５を掴んでピッチｐ４に相当する長さを得るスルーホール１１１に電線１１５の末端を合わせるが、電線１１５は軽量であるので末端側が浮き上がったり若しくは曲がったりする。
【００１５】
このため、図１３に示すように、左手で電線１１５の一方を掴んで、ユニバーサル基板１００の端から電線１１５の末端を５個目のスルーホール１１１に合わせて右手の指で末端を押さえる。つまり、必要とする長さのジャンパ線を得るには両手を使用している。
【００１６】
そして、右手の指で末端を押さえたままで左手の指でユニバーサル基板１００の端から１個目のスルーホール１１１付近を押さえて、右手でペンを持ってピッチｐ４分の長さとなる電線１１５の位置に印等を付ける。そして、右手をペンからラジオペンチにおきかえて、かつ電線１１５を左手で持って、電線１１５の印の位置を右手のラジオペンチで切断してピッチｐ４分のジャンパ線１１６を得る。そして、必要に応じてこのジャンパ線１１６の両端をラジオペンチで折り曲げる（例えばピッチｐ１分）。
【００１７】
前述のラジオペンチは、下記の文献に開示されているものを用いるのが一般的である。
【先行技術文献】
【特許文献】
【００１８】
【特許文献１】実開平５−７２３６６号公報
【発明の概要】
【発明が解決しようとする課題】
【００１９】
しかしながら、両手を使用して必要とする長さのジャンパ線１１６をユニバーサル基板１００のスルーホール１１１の間隔で決めて、右手の指で末端を押さえた状態で左手の指でユニバーサル基板１００の端から１個目のスルーホール１１１付近を押さえる。そして、右手でペンを持って必要な長さとなる電線１１５の位置に印を付けた後に、右手をペンからラジオペンチに持ち替えて、かつ電線１１５を左手で持って、電線１１５の印の位置を右手のラジオペンチで切断している。
【００２０】
つまり、両手で電線を押さえた後に、左手の指で電線を押さえた状態で右手の指で電線を押さえて、右手でペンを持って印を付けた後に右手でラジオペンチに持ち替える複数の工程によって必要な長さのジャンパ線１１６を得ているので手間がかかる（効率が悪い）。
【００２１】
また、得られたジャンパ線を再び左手で持ってラジオペンチで両端を折り曲げているのでさらに工数がかかる。
【００２２】
本発明は以上の課題を解決するためになされたもので、電線を左手で持ってラジオペンチを右手に持ったままで必要な長さのジャンパ線を容易に得ることができるラジオペンチを得ることを目的とする。
【課題を解決するための手段】
【００２３】
本発明に係るラジオペンチは、縦横列に一定のピッチｐ１間隔でスルーホール（１１１）を設けた基板（１００）における必要な長さのジャンパ線（１１６）を得るための目盛（Ｍｉ）を、先端（１９）に向かって次第に厚みが直線状に低下するテーパ形状の直状型の咥部（１５）に設けたラジオペンチであって、
前記咥部（１５）は、
前記ピッチｐ１の第１の整数倍（「０」含まず）となる各々の咥部横幅ｗｉとなる各々の位置に、電線（１１５）を横に咥えて前記各々の咥部横幅（ｗｉ）となる長さのジャンパ線（１１６）を得るための咥部横幅利用目盛印（Ｍｐ）と、
前記ピッチｐ１に一致する前記咥部横幅（ｗｉ）に対して前記第１の整数倍（「０」含まず）以上の第２の整数倍（「０」含まず）となる各々の縦長（ＴＬｉ）に相当する先端（１９）からの各々の位置に、先端（１９）側から前記電線（１１５）を咥えて前記各々の縦長（ＴＬｉ）となるジャンパ線（１１６）を得るための咥部縦長利用目盛印（Ｍｑ）とで前記目盛（Ｍｉ）を設けていることを要旨とする。
【発明の効果】
【００２４】
以上のように本発明によれば、電線（１１５）を左手でもってラジオペンチを右手でもって、ラジオペンチの咥部（１５）に刻まれている咥部横幅利用目盛印（Ｍｐ）を目安にしてラジオペンチの側面から電線（１１５）を咥部横幅利用目盛印（Ｍｐ）一杯に差し込んで折り曲げるだけで、ユニバーサル基板のピッチｐ１の整数倍のジャンパ線を容易に得ることができる。
【００２５】
また、咥部横幅利用目盛印（Ｍｐ）で得られたユニバーサル基板（１００）のピッチｐ１の第１の整数倍以上となる第２の整数倍の長さのジャンパ線を得るには、電線（１１５）を左手でもってラジオペンチを右手でもって、咥部縦長利用目盛印（Ｍｑ）を目安にして電線（１１５）を差し込んで先端（１９）で折り曲げるだけで第１の整数倍以上の第２の整数倍のジャンパ線を容易に得ることができる。
【００２６】
すなわち、電線を左手で持ってラジオペンチを右手に持ったままで必要な長さのジャンパ線を容易に得ることができる。
【図面の簡単な説明】
【００２７】
【図１】実施の形態で用いる一般的なラジオペンチの外観図である。
【図２】実施の形態１の咥部電線長計測用目盛付ラジオペンチ３０の斜視図である。
【図３】ピッチｐｉで目盛Ｍｉの位置を決定する説明図である。
【図４】先端１９からの目盛Ｍｉの位置を決定する説明図である。
【図５】第１目盛用印Ｍｐ１、第２目盛用印Ｍｐ２、第３目盛用印Ｍｐ３の使用形態の説明図である。
【図６】第４目盛用印Ｍｑ４、第５目盛用印Ｍｑ５、第６目盛用印Ｍｑ６の使用形態を説明する説明図である。
【図７】一般的なラジオペンチの切断部を説明する説明図である。
【図８】本実施の形態の咥部電線長計測用目盛付ラジオペンチ３０の切断刃部１１を説明する説明図である。
【図９】本実施の形態の咥部電線長計測用目盛付ラジオペンチ３０の切断刃部１１の使用形態を説明する説明図である。
【図１０】他の実施の形態の説明図である。
【図１１】他の実施の形態の説明図である。
【図１２】ユニバーサル基板を用いて回路を作成する具体的な手順を説明する説明図である。
【図１３】従来の必要な長さのジャンパ線を得るための手順を説明する説明図である。
【発明を実施するための形態】
【００２８】
本発明の技術的思想は、特許請求の範囲に記載された技術的範囲内において、種々の変更を加えることができる。図面は模式的なものであり、構成等は現実のものとは異なることに留意すべきである。
【００２９】
実施の形態の説明にあたって、初めに電子部品用の保持工具であるラジオペンチ（Ｎｅｅｄｌｅ  Ｎｏｓｅ  Ｐｌｉｅｒ）の名称等について図１を用いて説明する。また、実施の形態のラジオペンチは、後述する咥部は、先端に向かうに従って厚みが低下する丸みを帯びたテーパ形状にされている。
【００３０】
図１（ａ）は、ラジオペンチ１０の切断刃部１１側から見た斜視図である。図１（ｂ）は切断刃裏穴１２側から見た斜視図である。
【００３１】
そして、ラジオペンチ１０の切断刃部１１側から見た場合に、図１（ａ）に示すように、工作者の右手側となるアームを右側アーム１３、左手側となるアームを左側アーム１４と称する。
【００３２】
また、右側アーム１３は、右側アーム咥部１５ａと右側アーム切断部１６ａと右側アーム握部１７ａ等からなる。
【００３３】
また、左側アーム１４は、左側アーム咥部１５ｂと左側アーム切断部１６ｂとヒンジ１８と左側アーム握部１７ｂ等からなる。
【００３４】
前述の右側アーム咥部１５ａと左側アーム咥部１５ｂとを総称して咥部１５と称し、右側アーム切断部１６ａと左側アーム切断部１６ｂとを総称して切断部１６と称し、右側アーム握部１７ａと左側アーム握部１７ｂとを総称して握部１７と称する。
【００３５】
この右側アーム握部１７ａは、ヒンジ１８を介して左側アーム咥部１５ｂと一体にされ、
左側アーム握部１７ｂは、ヒンジ１８を介して右側アーム咥部１５ａと一体にされている。
【００３６】
また、右側アーム咥部１５ａのテーパ状の面を右側アーム咥部テーパ面１５ａａと称し、左側アーム咥部１５ｂのテーパ状の面を左側アーム咥部テーパ面１５ｂｂと称する。
【００３７】
また、右側アーム咥部１５ａの右側アーム咥部テーパ面１５ａａの後方の右側アーム切断部１６ａの平な面の部分を右側切断部上面１６ａｅと称し、左側アーム咥部１５ｂの左側アーム咥部テーパ面１５ｂｂの後方の左側アーム切断部１６ｂの平な面の部分を左側切断部上面１６ｂｅと称する。この右側切断部上面１６ａｅと左側切断部上面１６ｂｅとを総称して切断部上面１６ｅと称する。
【００３８】
＜実施の形態１＞
以下に実施の形態１のラジオペンチを説明する。但し、実施の形態１においては咥部１５に後述する咥部横幅利用目盛印Ｍｐ（Ｍｐ１、Ｍｐ２、Ｍｐ３）と咥部縦長利用目盛印Ｍｑ（Ｍｑ４、Ｍｑ５、Ｍｑ６）とからなる電線長計測用の目盛Ｍｉを設けているので咥部電線長計測用目盛付ラジオペンチ３０と称する。
【００３９】
図２は実施の形態１の咥部電線長計測用目盛付ラジオペンチ３０の斜視図である。図２においてはユニバーサル基板１００を示して説明する。
【００４０】
つまり、縦横列に一定のピッチｐ１間隔（例えば１／１０インチ）でスルーホール１１１を設けたユニバーサル基板１００における必要な長さのジャンパ線１１６を得るための目盛Ｍｉを先端１９に向かって次第に厚みが直線状に低下するテーパ形状の直状型の咥部１５に設けた咥部電線長計測用目盛付ラジオペンチ３０である。
【００４１】
実施の形態１の咥部電線長計測用目盛付ラジオペンチ３０は「右利き」及び「左利き」に対応できるが「右利き」の工作者を想定して説明する。
【００４２】
図２は咥部１５（１５ａ、１５ｂ）の後方に設けられている切断部１６の切断刃部１１（右側切断刃１１ａ、左側切断刃１１ｂ）が正面になっている。
【００４３】
つまり、「右利き」の工作者が右手で咥部電線長計測用目盛付ラジオペンチ３０の握部１７を持ったときには「切断刃部１１」側が左側になるので、この「切断刃部１１」側を見た方向の面を左側面と称し、反対方向から見た面を右側面と称する。
【００４４】
また、右利き」の工作者が右手で咥部電線長計測用目盛付ラジオペンチ３０の握部１７を持ったときに、咥部電線長計測用目盛付ラジオペンチ３０を上から見た面を上面と称し、反対方向から見た面を下面と称する。
【００４５】
また、右側アーム咥部１５ａ及び左側アーム咥部１５ｂは、スズメッキ線、電子部品等は咥える平面側を咥面と称し、右側アーム咥部１５ａの咥面を右側アーム咥部平面部１５ａｃと称し、右側アーム咥部平面部１５ａｃに対向する左側アーム咥部１５ｂの咥面を左側アーム咥部平面部１５ｂｃと称する。この右側アーム咥部平面部１５ａｃと左側アーム咥部平面部１５ｂｃとで被咥物である電子部品、電線１１５等を咥える。
【００４６】
そして、右側アーム１３の右側アーム咥部１５ａの右側アーム咥部テーパ面１５ａａ及び左側アーム咥部１５ｂの左側アーム咥部テーパ面１５ｂｂには図２に示すように、先端１９から後方に向かって目盛Ｍｉを形成している。
【００４７】
この先端１９は、右側アーム咥部平面部１５ａｃ及び左側アーム咥部平面部１５ｂｃの先端であり、右側アーム咥部１５ａ側は右側アーム咥部平面部先端１９ａと称し、左側アーム咥部１５ｂ側は左側アーム咥部平面部先端１９ｂと称する。
【００４８】
また、右側アーム咥部平面部１５ａｃの右側切断刃１１ａ側となる後端を右側アーム咥部平面後端１９ａａ（図示せず）と称し、左側アーム咥部平面部１５ｂｃの左側切断刃１１ｂとなる後端を左側アーム咥部平面後端１９ｂｂと称する。
【００４９】
そして、右側アーム咥部平面部先端１９ａの中心から右側アーム咥部平面後端１９ａａ（図示せず）の中心を通る中心線を右側アーム咥部中心線Ｌａｈ（図示せず）と称する。
【００５０】
さらに、左側アーム咥部平面部先端１９ｂの中心から左側アーム咥部平面後端１９ｂｂの中心を通る中心線を左側アーム咥部中心線Ｌｂｈと称する。総称して咥部平面中心線Ｌｈと称する。図２においては、咥部平面中心線Ｌｈは左側アーム咥部中心線Ｌｂｈのみを示している。
【００５１】
咥部横幅利用目盛印Ｍｐは、電線１１５の長さを計測するための目盛となる第１目盛用印Ｍｐ１、第２目盛用印Ｍｐ２及び第３目盛用印Ｍｐ３よりなり、咥部縦長利用目盛印Ｍｑは第４目盛用印Ｍｑ４、第５目盛用印Ｍｑ５、第６目盛用印Ｍｑ６等よりなる。これらは、消えないインク等で書かれた直線状の線又は丸状のマーカであっても良いが電線１１５の直径の略半分程度の径の溝で形成するのが好ましい。
【００５２】
なお、第１目盛用印Ｍｐ１、第２目盛用印Ｍｐ２及び第３目盛用印Ｍｐ３は、右側アーム咥部テーパ面１５ａａと左側アーム咥部テーパ面１５ｂｂとの両方若しくはいずれか一方に設けても構わないが、実施の形態１では右側アーム咥部テーパ面１５ａａに設けたとして説明する。
【００５３】
また、第４目盛用印Ｍｑ４、第５目盛用印Ｍｑ５及び第６目盛用印Ｍｑ６は、右側アーム咥部テーパ面１５ａａと左側アーム咥部テーパ面１５ｂｂとの両方或いはいずれか一方でも構わないが実施の形態１では右側アーム咥部テーパ面１５ａａと左側アーム咥部テーパ面１５ｂｂとの両方に設けたことにして説明する。
【００５４】
咥部縦長利用目盛印Ｍｑである第４目盛用印Ｍｑ４、第５目盛用印Ｍｑ５及び第６目盛用印Ｍｑ６は、咥部横幅利用目盛印Ｍｐと区別するために短くして形成して異なる色を塗布している。
【００５５】
そして、右側アーム咥部テーパ面１５ａａに設けられた第４目盛用印Ｍｑ４を右側アーム咥部テーパ面第４目盛用印Ｍｑ４ａ、第５目盛用印Ｍｑ５を右側アーム咥部テーパ面第５目盛用印Ｍｑ５ａ、第６目盛用印Ｍｑ６を右側アーム咥部テーパ面第６目盛用印Ｍ６ｑａと称する。
【００５６】
すなわち、縦列横列に一定のピッチｐ１間隔（例えば１／１０インチ）でスルーホール１１１を設けたユニバーサル基板１００で用いるジャンパ線１１６を生成するために、左手で電線１１５を持って、右手で握部１７を握ったままで、ピッチｐ１の整数倍（「０」含まず）のジャンパ線１１６を容易に得る咥部電線長計測用目盛付ラジオペンチ３０である。
【００５７】
（ピッチｐｉで目盛Ｍｉの位置を決定）
目盛Ｍｉ（Ｍｐ１、Ｍｐ２、・・・Ｍｑ６）の位置は、図２に示すユニバーサル基板１００のスルーホール１１１の一定の間隔であるピッチｐ１（１／１０インチ（２．５４ｍｍ））の整数倍（「０」を含まず：１，２、・・・６）のピッチｐｉ（ｐ１、ｐ２・・・）に対応している。
【００５８】
第１目盛用印Ｍｐ１は、ユニバーサル基板１００のピッチｐ１（１／１０インチ（２．５４ｍｍ））の間隔に相当（一致）する右側アーム咥部テーパ面１５ａａ（又は右側アーム咥部平面部１５ａｃ）における横幅（以下ピッチｐ１相当横幅ｗ１という）をノギス等（図示せず）で見つける。
【００５９】
そして、咥部平面中心線Ｌｈ（Ｌａｈ又はＬｂｈ）にピッチｐ１相当横幅ｗ１を得た位置（以下ピッチｐ１相当咥部横幅利用目盛印位置Ｍｄｐ１という：図示せず）であることを定める。そして、このピッチｐ１相当咥部横幅利用目盛印位置Ｍｄｐ１に対向する右側アーム咥部テーパ面１５ａａ（右側アーム咥部１５ａの表面）の全周（一部でも構わない）に溝を刻んで形成している。つまり、咥部平面中心線Ｌｈ（Ｌａｈ又はＬｂｈ）に対して直角でかつピッチｐ１相当咥部横幅利用目盛印位置Ｍｄｐ１における垂直線（図示せず）を通るように、右側アーム咥部テーパ面１５ａａの周囲に成形する。
【００６０】
第２目盛用印Ｍｐ２は、ユニバーサル基板１００のピッチｐ２（２/１０インチ（５．０８ｍｍ））の間隔に相当（一致）する右側アーム咥部テーパ面１５ａａ（又は右側アーム咥部平面部１５ａｃ）における横幅（以下ピッチｐ２相当横幅ｗ２という）をノギス等（図示せず）で見つける。そして、咥部平面中心線Ｌｈ（Ｌａｈ又はＬｂｈ）にピッチｐ２相当横幅ｗ２を得た位置（以下ピッチｐ２相当咥部横幅利用目盛印位置Ｍｄｐ２という：図示せず）であることを定める。
【００６１】
そして、このピッチｐ２相当咥部横幅利用目盛印位置Ｍｄｐ２に対向する右側アーム咥部テーパ面１５ａａ（右側アーム咥部１５ａの表面）の全周（一部でも構わない）に溝を刻んで形成している。つまり、咥部平面中心線Ｌｈ（Ｌａｈ又はＬｂｈ）に対して直角でかつピッチｐ２相当咥部横幅利用目盛印位置Ｍｄｐ２における垂直線（図示せず）を通るように右側アーム咥部テーパ面１５ａａの周囲に成形する。
【００６２】
第３目盛用印Ｍｐ３は、ユニバーサル基板１００のピッチｐ３（３/１０インチ（７．６２ｍｍ））の間隔に相当する右側アーム咥部テーパ面１５ａａ（又は右側アーム咥部平面部１５ａｃ）における横幅に相当する右側アーム咥部テーパ面１５ａａ（又は右側アーム咥部平面部１５ａｃ）における横幅（以下ピッチｐ３相当横幅ｗ３という）をノギス等（図示せず）で見つける。
【００６３】
そして、咥部平面中心線Ｌｈ（Ｌａｈ又はＬｂｈ）にピッチｐ３相当横幅ｗ３を得た位置（以下ピッチｐ１相当咥部横幅利用目盛印位置Ｍｄｐ１という：図示せず）であることを定める。そして、このピッチｐ３相当咥部横幅利用目盛印位置Ｍｄｐ３に対向する右側アーム咥部テーパ面１５ａａ（右側アーム咥部１５ａの表面）の全周（一部でも構わない）に溝を刻んで形成している。つまり、咥部平面中心線Ｌｈ（Ｌａｈ又はＬｂｈ）に対して直角でかつピッチｐ３相当咥部横幅利用目盛印位置Ｍｄｐ３における垂直線（図示せず）を通るように、右側アーム咥部テーパ面１５ａａの周囲に成形する。
【００６４】
前述のピッチｐ１相当横幅ｗ１とピッチｐ２相当横幅ｗ２とピッチｐ３相当横幅ｗ３と
を総称して咥部横幅ｗｉと称する。
【００６５】
また、ピッチｐ１相当咥部横幅利用目盛印位置Ｍｄｐ１とピッチｐ２相当咥部横幅利用目盛印位置Ｍｄｐ２とピッチｐ３相当咥部横幅利用目盛印位置Ｍｄｐ３とを総称して咥部横幅利用目盛印位置Ｍｄｐｉと称する。また、ピッチｐ１相当横幅ｗ１、ピッチｐ２相当横幅ｗ２、ピッチｐ３相当横幅ｗ３を得るための整数倍（「０」を含まず：１、２、３）を第１の整数倍ともいう。
【００６６】
第４目盛用溝Ｍｐ４（Ｍ４ａ、Ｍ４ｂ）は、ユニバーサル基板１００のピッチｐ４（４/１０インチ（１０．１６ｍｍ））の間隔をノギス等で計測し、左側アーム咥部平面部先端１９ｂからこの間隔に相当するピッチｐ４用縦長「ｇ」の右側アーム咥部テーパ面１５ａａ及び左側アーム咥部テーパ面１５ｂｂの側面における位置を見つける。そして、この位置に咥部平面中心線Ｌｈ（Ｌａｈ又はＬｂｈ）に対して直角になるように、右側アーム咥部テーパ面１５ａａ及び左側アーム咥部テーパ面１５ｂｂの周囲に成形する。つまり、Ｍｑ４ａ、Ｍｑ４ｂを形成する。
【００６７】
第５目盛用溝Ｍｐ５（Ｍ５ｐａ、Ｍ５ｐｂ）は、ユニバーサル基板１００のピッチｐ５（５/１０インチ（１２．７０ｍｍ））の間隔をノギス等で計測し、左側アーム咥部平面部先端１９ｂからこの間隔に相当するピッチｐ５用縦長「ｈ」の右側アーム咥部テーパ面１５ａａ及び左側アーム咥部テーパ面１５ｂｂの側面における位置を見つける。そして、この位置に咥部平面中心線Ｌｈ（Ｌａｈ又はＬｂｈ）に対して直角になるように、右側アーム咥部テーパ面１５ａａ及び左側アーム咥部テーパ面１５ｂｂの周囲に成形する。つまり、Ｍｑ５ａ、Ｍｑ５ｂを形成する。
【００６８】
第６目盛用溝Ｍｑ６（Ｍ６ｑａ、Ｍ６ｑｂ）は、ユニバーサル基板１００のピッチｐ６（６/１０インチ（１５．２４ｍｍ））の間隔をノギス等で計測し、左側アーム咥部平面部先端１９ｂからこの間隔に相当するピッチｐ６用縦長「ｉ」の右側アーム咥部テーパ面１５ａａ及び左側アーム咥部テーパ面１５ｂｂの側面における位置を見つける。そして、この位置に咥部平面中心線Ｌｈ（Ｌａｈ又はＬｂｈ）に対して直角になるように、右側アーム咥部テーパ面１５ａａ及び左側アーム咥部テーパ面１５ｂｂの周囲に成形する。つまり、Ｍｑ６ａ、Ｍｑ５６を形成する。
【００６９】
前述のピッチｐ４用縦長「ｇ」、ピッチｐ５用縦長「ｈ」、ピッチｐ６用縦長「ｊ」を得るための整数倍（「０」を含まず：４、５、６）を第２の整数倍（第１の整数倍以上）ともいう。
【００７０】
また、ピッチｐ４用縦長「ｇ」となる位置、ピッチｐ５用縦長「ｈ」となる位置、ピッチｐ６用縦長「ｉ」となる位置を咥部縦長利用目盛印位置Ｍｄｑｉと称する。
【００７１】
これらの第１目盛用印Ｍｐ１、第２目盛用印Ｍｐ２及び第３目盛用印Ｍｐ３並びに第４目盛用印Ｍｑ４、第５目盛用印Ｍｑ５及び第６目盛用印Ｍｑ６は電線１１５の直径（０．２〜０．５ｍｍφ）の半分程度のドリルで形成された溝であり、赤又は黒等の色が塗布されている。
【００７２】
すなわち、咥部電線長計測用目盛付ラジオペンチ３０の目盛Ｍｉとユニバーサル基板１００のピッチｐｉとは図３に示す関係になっている。
【００７３】
図３（ａ）は１／１０インチ（２．５４ｍｍ）間隔でスルーホール１１１が形成されているユニバーサル基板１００を示す。
【００７４】
図３（ａ）においては、整数倍の「ピッチＰ１」、「ピッチＰ２」、「ピッチＰ３」、「ピッチＰ４」、「ピッチＰ５」、「ピッチＰ６」を「Ｐ１」〜「Ｐ６」の記号で記している。
【００７５】
また、図３（ｂ）には左には、右側アーム咥部１５ａの上面における第１目盛印Ｍｐ１を示し、図３（ｂ）の中央には、右側アーム咥部１５ａの上面における第２目盛印Ｍｐ２を示し、右端には第３目盛印Ｍｐ３を示して説明する。
【００７６】
また、図３（ｃ）には図３（ａ）の左側面を示して説明する。図３（ｃ）においては、第４目盛印Ｍｑ４（Ｍ４ｑａ、Ｍｑ４ｂ）、第５目盛印Ｍｑ５（Ｍｑ５ａ、Ｍｑ５ｂ）、第６目盛印Ｍｑ６（Ｍｑ６ａ、Ｍｑ６ｂ）を示している。
【００７７】
すなわち、図３に示すように、ユニバーサル基板１００のピッチＰ１（１／１０インチ：２．５４ｍｍ）は第１目盛印Ｍｐ１に対応し、ピッチＰ２（２／１０インチ：５．０８ｍｍ）は第２目盛印Ｍｐ２に対応し、ピッチｐ３（３／１０インチ：７．６２ｍｍ）は第３目盛印Ｍｐ３に対応している。
【００７８】
さらに、ピッチＰ４（４／１０インチ：１０．１６ｍｍ）は第４目盛印Ｍｑ４に対応し、ピッチＰ５（５／１０インチ：１２．７０ｍｍ）は第５目盛印Ｍｑ５に対応し、ピッチｐ６（６／１０インチ：１５．２４ｍｍ）は第６目盛印Ｍｑ６に対応している。
【表１】
2017071035.tif 000003
【００７９】
（先端１９からの目盛Ｍｉの位置）
目盛Ｍｉの位置は先端１９から長さを計測してその位置に成形しても構わない。図４を用いて以下に説明する。
【００８０】
図４（ａ）には咥部電線長計測用目盛付ラジオペンチ３０の右側アーム１３を上面（下面でも構わない）にして示す。但し、右側アーム咥部１５ａと右側アーム切断部１６ａの右側切断部上面１６ａｅとを示して説明する。
【００８１】
また、図４（ａ）には右側アーム咥部１５ａの右側アーム咥部テーパ面１５ａａの右側切断部上面１６ａｅの先端側を右側咥部テーパ面開始位置１５ａｔ（左側は左側咥部テーパ面開始位置１５ｂｔ）として示す。総称してテーパ面開始位置１５ｔと称する。
【００８２】
図４（ｂ）には図４（ａ）の咥部電線長計測用目盛付ラジオペンチ３０を左側面から見た場合の左側面図を示す。
【００８３】
図４（ａ）に示すように、第１目盛印Ｍｐ１には、ピッチｐ１（１／１０インチ（２．５４ｍｍ））の長さに該当することを示す記号「ｐ１」を印字し、第２目盛印Ｍｐ２にはピッチｐ２（２/１０インチ（５．０８ｍｍ））の長さに該当することを示す記号「ｐ２」を印字し、第３目盛印Ｍｐ３にはピッチｐ３（３/１０インチ（７．６２ｍｍ））であることを示す記号「ｐ３」を印字するのが好ましい。
【００８４】
さらに、図４（ｂ）に示すように、第４目盛印Ｍｑ４には、ピッチｐ４（４/１０インチ（１０．１６ｍｍ））の長さに該当することを示す記号「ｐ４」を印字し、第５目盛印Ｍｑ５にはピッチｐ５（５/１０インチ（１２．７０ｍｍ））の長さに該当することを示す記号「ｐ５」を印字し、第６目盛印Ｍｑ６にはピッチｐ６（６/１０インチ（１５．２４ｍｍ））の長さに該当することを示す記号「ｐ６」を印字するのが好ましい。
【００８５】
また、図４（ｂ）には先端１９の高さ（以下先端高「ｊ」という）を示し、切断部１６の高さ（以下切断高「ｋ」という）を示す。この「ｋ」は咥部１５の最大断面でもある。
【００８６】
そして、図４（ｂ）に示すように咥部１５における右側アーム咥部１５ａの右側アーム咥部テーパ面１５ａａ及び左側アーム咥部１５ｂの左側アーム咥部テーパ面１５ｂｂは、右側咥部テーパ面開始位置１５ａｔ及び左側咥部テーパ面開始位置１５ｂｔから直線状に次第に厚みを低下させて先端１９に至るテーパ形状にされている。
【００８７】
上記の第１目盛印Ｍｐ１（ピッチｐ１）〜第３目盛印Ｍｐ３（ピッチｐ３）に相当する長さの目盛を付ける位置については、直線状に次第に厚みが先端に向かって細くなるテーパ面を有する場合は、そのテーパ面の勾配に依存する。
【００８８】
つまり、右側アーム咥部平面部１５ａｃ又は左側アーム咥部平面部１５ｂｃの縦長「ａ」（テーパ面間隔）とし、先端１９の幅を先端横幅「ｂ」とし、右側アーム咥部上面１５ａｅ及び左側アーム咥部上面１５ｂｅの横幅を咥部上面最大横幅「ｃ」とする。
【００８９】
また、ピッチｐ１からピッチｐ３を得るための、第１目盛印Ｍｐ１、第２目盛印Ｍｐ２、第３目盛印Ｍｐ３の位置である咥部横幅利用目盛印位置Ｍｄｐｉまでの長さを、先端１９からそれぞれ、「ｄ」、「ｅ」、および「ｆ」とすると、これらの縦長ＴＬｉは、次式で求めることができる。ただし、単位はｍｍである。
【００９０】
先端１９から第１目盛印Ｍｐ１までの縦長ＴＬｉである「ｄ」は、
ｄ= ａ × （２.５４ − ｂ）/ （ｃ−ｂ） （ｍｍ）
・・・・・・・・・・・・・式１（２．５４はピッチｐ１）
先端１９から第２目盛印Ｍｐ２までの縦長ＴＬｉである「ｅ」は、
ｅ = ａ × （５．０８ − ｂ）/ （ｃ−ｂ）（ｍｍ）
・・・・ 式２ （５．０８はピッチｐ２）
先端１９から第３目盛印Ｍｐ３までの縦長ＴＬｉである「ｆ」は、
ｆ = ａ × （７．６２ − ｂ）/ （ｃ −ｂ）（ｍｍ）
・・・・・・式３（７．６２はピッチｐ３）
として算出できる。
【００９１】
一方、第４目盛印Ｍｑ４（ピッチｐ４）〜第６目盛印Ｍｑ６（ピッチｐ６）までの先端１９からの縦長ＴＬｉさは、それぞれを「ｇ」、「ｈ」、および「ｉ」とするとき、以下となる。ただし、単位はｍｍである。
【００９２】
先端１９から第４目盛印Ｍｑ４までの縦長ＴＬｉである「ｇ」は、
ｇ =１０．１６（ｍｍ）・・・・・・・・・ 式４（１０．１６はピッチｐ４）
先端１９から第５目盛印Ｍｑ５までの縦長ＴＬｉである「ｈ」は、
ｈ=１２．７０ （ｍｍ）・・・式５（１２．７０はピッチｐ５） 
先端１９から第６目盛印Ｍｑ６までの縦長ＴＬｉである「ｉ」は、
ｉ = １５．２４（ｍｍ）・・・・・・ 式６（１５．２４はピッチｐ６）
として決定する。
【００９３】
つまり、第４目盛印Ｍｑ４〜第６目盛印Ｍｑ６については、ユニバーサル基板１００のピッチを計測して決定した値を式４〜式６とし、これらを用いて決定している。
【００９４】
上記の式１〜式６を用いて例えば全長が１５．０ｍｍ、全幅が５２、０ｍｍ、「ａ」が４７．８ｍｍ、「ｂ」が１．８ｍｍ、「ｃ」が８．５ｍｍのタイプのラジオペンチを用いて目盛Ｍｉの位置を決定した場合は、表２の位置となった。
【表２】
2017071035.tif 000004
【００９５】
（使用方法）
図５及び図６は実施の形態１の使用形態を説明する説明図である。図５には第１目盛用印Ｍｐ１、第２目盛用印Ｍｐ２、第３目盛用印Ｍｐ３を用いての電線１１５の計測及び折り曲げを示し、図６には、第４目盛用印Ｍｑ４、第５目盛用印Ｍｑ５、第６目盛用印Ｍｑ６を用いての電線１１５の計測及び折り曲げを示す。
【００９６】
但し、図５においては、右側アーム１３の右側アーム咥部１５ａの右側アーム咥部テーパ面１５ａａを上面にして説明する。また、第１目盛用印Ｍｐ１（ピッチｐ１）、第２目盛用印Ｍｐ２（ピッチｐ２）、第３目盛用印Ｍｐ３（ピッチｐ３）の内で、第２目盛用印Ｍｐ２を用いてピッチｐ２（２/１０インチ（５．０８ｍｍ））の電線１１５の計測を示す。
【００９７】
図５（ａ）に示すように電線１１５を左手で持って、右側アーム咥部テーパ面１５ａａが上側となるように咥部電線長計測用目盛付ラジオペンチ３０を右手で持って電線１１５を咥部１５で噛んだ状態にする。
【００９８】
つまり、咥部１５の右側アーム咥部テーパ面１５ａａの第２目盛用印Ｍｐ２（ピッチｐ２）に平行になるように電線１１５を咥部電線長計測用目盛付ラジオペンチ３０の左側面から左側アーム咥部平面部１５ｂｃの平面一杯（右側端まで）に置いて、これを右側アーム咥部平面部１５ａｃで噛んだ状態である。すなわち、ピッチｐ２／１０インチ（５．０８ｍｍ））の長さのジャンパ線１１６を得ることになる。
【００９９】
そして、図５（ｂ）及び図５（ｃ）に示すように、咥部電線長計測用目盛付ラジオペンチ３０を反時計廻りに回して図５（ｄ）に示すピッチｐ２／１０インチ（５．０８ｍｍ））を得る。
【０１００】
すなわち、電線１１５を左手で持って咥部電線長計測用目盛付ラジオペンチ３０を右手に持って電線１１５を第１目盛印Ｍｐ１、第２目盛印Ｍｐ２、第３目盛印Ｍｐ３に合わせて右側アーム咥部１５ａ及び左側アーム咥部１５ｂで噛むことで容易にピッチｐ１（１／１０インチ（２．５４ｍｍ））、ピッチｐ２（２/１０インチ（５．０８ｍｍ））、ピッチｐ３（３/１０インチ（７．６２ｍｍ））のジャンパ線１１６を得ることができる。
【０１０１】
一方、ピッチｐ４（４/１０インチ（１０．１６ｍｍ））、ピッチｐ５（５/１０インチ（１２．７０ｍｍ））、ピッチｐ６（６/１０インチ（１５．２４ｍｍ））のジャンパ線１１６を得る場合は図６に示すような手順で得る。
【０１０２】
但し、図６（ａ）は咥部電線長計測用目盛付ラジオペンチ３０を右手（図示せず）で持って切断刃部１１側を上側にして説明する。また、図６は、第４目盛用印Ｍｑ４（ピッチｐ４）、第５目盛用印Ｍｑ５（ピッチｐ５）、第６目盛用印Ｍｑ６（ピッチｐ６）の内で、第５目盛用印Ｍｑ５を用いてピッチｐ５（５/１０インチ（１２．７０ｍｍ））の電線１１５の計測として説明する。
【０１０３】
図６（ａ）に示すように、電線１１５を左手で持って、先端１９から第５目盛印Ｍ５ｑまで電線１１５を合わせる。そして、咥部１５で噛んだ状態にする。
【０１０４】
つまり、ピッチｐ５／１０インチ（１２．７０ｍｍ））の長さのジャンパ線を得ることになる。
【０１０５】
そして、図６（ｂ）及び図６（ｃ）に示すように、咥部電線長計測用目盛付ラジオペンチ３０を反時計廻りに回して図６（ｄ）に示すように折り曲げる。つまり、ピッチｐ５／１０インチ（１２．７０ｍｍ））の電線を得る。そして、このピッチｐ５（５／１０インチ（１２．７０ｍｍ））の範囲の電線を切断する。
【０１０６】
すなわち、電線１１５を左手で持って咥部電線長計測用目盛付ラジオペンチ３０を右手に持って電線１１５を第１目盛印Ｍｑ４、第２目盛印Ｍｑ５、第３目盛印Ｍｑ６に合わせて右側アーム咥部１５ａ及び左側アーム咥部１５ｂで噛むことで容易にピッチｐ４（４/１０インチ（１０．１６ｍｍ））、ピッチｐ５（５/１０インチ（１２．７０ｍｍ））、ピッチｐ６（６/１０インチ（１５．２４ｍｍ））のジャンパ線１１６を得ることができる。
【０１０７】
＜実施の形態２＞
上記実施の形態１の切断刃部１１について実施の形態２として説明する。図７において上記の図と同一符号のものは説明を省略する。
【０１０８】
図７（ａ）は一般的なラジオペンチを右手で持って左側面を正面として示し、図７（ｂ）は上面を示し、図７（ｃ）は図７（ａ）の切断刃付近の横断面を示している。
【０１０９】
図７（ａ）には切断刃部１１の右側切断刃１１ａと左側切断刃１１ｂとがかみ合う刃筋２０を示して説明する。
【０１１０】
現在のラジオペンチの多くは、咥部１５の後方の切断部１６に切断刃部１１を備えているのが一般的である。しかしながら、図７（ｃ）の断面図に示すように、切断刃部１１の右側切断刃１１ａ、左側切断刃１１ｂの二つ刃がかみ合う刃筋２０は切断部１６の左側面の面（側面）から１〜１．５ｍｍ程度内側にある。
【０１１１】
このため、長さが１／１０インチ（２．５４ｍｍ）の精度のジャンパ線１１６を求めるにあたっては、無視できない量となっている。
【０１１２】
つまり、左手の指（爪）が切断部１６の側面で邪魔されるため、刃筋２０のあるところにまで電線１１５を送ることができない。
【０１１３】
このため、左手の指をずらすか、右手に握っているラジオペンチをニッパー（持ち際まで刃を寄せることができる）等の別の工具に替える必要がある。すなわち、作業工程が増えて、かつジャンパ線１１６の工作精度が落ちることになる。 
【０１１４】
そこで、電線１１５を切断する際の正確性と簡便性を向上させるよう、刃筋位置を変更する。
【０１１５】
すなわち、咥部電線長計測用目盛付ラジオペンチ３０の切断刃部１１の刃筋位置を図８に示すような位置に成形（形成）している。
【０１１６】
図８は咥部電線長計測用目盛付ラジオペンチ３０の切断刃部１１の説明図である。上記の図と同一符号については説明を省略する。図８（ａ）は咥部電線長計測用目盛付ラジオペンチ３０を右手で持って左側面を正面として示し、図８（ｂ）は上面を示し、図８（ｃ）は図８（ａ）の切断刃付近の横断面を示している。
【０１１７】
図８（ｃ）の断面に示すように、切断刃部１１を構成する右側切断刃１１ａと左側切断刃１１ｂとは刃筋２０が「左側面」と同一面上になるように成型している。
【０１１８】
このため、図９（ａ）及び図９（ｂ）に示すように、左手の親指と人差指とでつまんで、切断刃の位置で精度良く切断できる。
【０１１９】
＜他の実施の形態＞
実施の形態１では目盛Ｍｉ（インク又は溝）を右側アーム咥部テーパ面１５ａａ及び左側アーム咥部テーパ面１５ｂｂに形成したが、図１０に示すように、左側アーム咥部平面部１５ｂｃ（又は右側アーム咥部平面部１５ａｃ）に形成しても構わない。この目盛ＭｉをＭｐ１ｂ、Ｍｐ２ｂ、Ｍｐ３ｂ、Ｍｑ４ｂ、Ｍｑ５ｂ、Ｍｑ６ｂと記載している。
【０１２０】
また、Ｍｐ１ｂにはｐ１、Ｍｐ２ｂにはｐ２、Ｍｐ３ｂにはｐ３、Ｍｑ４ｂにはｐ４、Ｍｑ５ｂにはｐ５、Ｍｑ６ｂにはｐ６を刻印する。また、Ｍｐ１ｂ、Ｍｐ２ｂ及びＭｐ３ｂと、Ｍｑ４ｂ、Ｍｑ５ｂ及びＭｑ６ｂとは異なる色にするのが好ましい。
【０１２１】
このように形成すると、Ｍｐ１ｂ、Ｍｐ２ｂ、Ｍｐ３ｂで電線１１５を横向き噛むことができるので、ジャンパ線１１６が真っ直ぐになる。
【０１２２】
さらに、図１１に示すように左側アーム咥部平面部１５ｂｃ（又は右側アーム咥部平面部１５ａｃ）に目盛Ｍｉ（Ｍｐ１ｂ、Ｍｐ２ｂ、Ｍｐ３ｂ、Ｍｑ４ｂ、Ｍｑ５ｂ、Ｍｑ６ｂ；インク又は溝）を設けて、かつ左側アーム咥部平面部１５ｂｃ（又は右側アーム咥部平面部１５ａｃ）の先端１９から最後のＭｐ３までの間に縦長利用溝ＴＭｉを形成してもよい。
【０１２３】
この縦長利用溝ＴＭｉは、先端１９の中央から左側アーム咥部平面部１５ｂｃ（又は右側アーム咥部平面部１５ａｃ）の後辺の中央を通る咥部平面中心線Ｌｈ（Ｌａｈ、ｌｂｈ）に沿って形成する。
【０１２４】
このように形成すると、Ｍｑ４ｂ、Ｍｑ５ｂ、Ｍｑ６ｂによって電線１１５がその位置まで真っ直ぐになるので寸法精度がよいジャンパ線１１６を得ることができる。
【０１２５】
なお、縦長利用溝ＴＭｉはさらに長くしても構わないし、目盛Ｍｉ（インク、溝）もさらに多く設けても構わない。
【０１２６】
また、上記実施の形態では丸みを帯びたテーパ面を有するラジオペンチとして説明したが丸みを帯びない直線的なテーパ面を有したラジオペンチに上記の目盛Ｍｉを設けても構わない。
【０１２７】
さらに、上記実施の形態ではユニバーサル基板１００として説明したがブレッドボード、穴あきベーク板等であってもよいし、ピッチも１．２９ｍｍを１単位としているものでも構わない。
【０１２８】
さらに、上記の目盛Ｍｉが溝で成型されている場合は、電線１１５を右側アーム咥部平面部１５ａｃに対向する左側アーム咥部平面部１５ｂｃで噛んで、この溝に電線１１５を這わせることで右側アーム咥部１５ａ又は左側アーム咥部１５ｂの略断面形状の形にしたジャンパ線を得ても構わない。
【符号の説明】
【０１２９】
１９  先端
１５  咥部
３０  咥部電線長計測用目盛付ラジオペンチ
１６  切断部
１１  切断刃部
１１ａ  右側切断刃
１１ｂ  左側切断刃
１５ａ  右側アーム咥部
１５ｂ  左側アーム咥部
１５ａｃ  右側アーム咥部平面部
１５ｂｃ  左側アーム咥部平面部
Ｍｉ  目盛
１９ａａ  右側アーム咥部平面後端１９ａａ
１９ｂｂ  
Ｌｈ  咥部平面中心線
Ｍｐ  咥部横幅利用目盛印
Ｍｑ  咥部縦長利用目盛印
【図１】
2017071035.tif 000005
【図２】
2017071035.tif 000006
【図３】
2017071035.tif 000007
【図４】
2017071035.tif 000008
【図５】
2017071035.tif 000009
【図６】
2017071035.tif 000010
【図７】
2017071035.tif 000011
【図８】
2017071035.tif 000012
【図９】
2017071035.tif 000013
【図１０】
2017071035.tif 000014
【図１１】
2017071035.tif 000015
【図１２】
2017071035.tif 000016
【図１３】
2017071035.tif 000017
【手続補正書】
【提出日】平成28年10月21日(2016.10.21)
【手続補正１】
【補正対象書類名】特許請求の範囲
【補正対象項目名】全文
【補正方法】変更
【補正の内容】
【特許請求の範囲】
【請求項１】
縦横列に一定のピッチ（ｐ１）でスルーホール（１１１）を設けた基板（１００）における必要な長さのジャンパ線（１１６）を得るための目盛（Ｍｉ）を、先端（１９）に向かって次第に厚みが直線状に低下するテーパ形状の直状型の咥部（１５）に設けたラジオペンチであって、
前記咥部（１５）は、
前記ピッチ（ｐ１）の第１の整数倍（「０」含まず）となる各々の咥部横幅（ｗｉ）を得る各々の位置に、電線（１１５）を横に咥えて前記各々の咥部横幅（ｗｉ）となる長さのジャンパ線（１１６）を得るための咥部横幅利用目盛印（Ｍｐ）と、
前記ピッチ（ｐ１）に相当する前記咥部横幅（ｗｉ）に対して前記第１の整数倍（「０」含まず）以上の第２の整数倍（「０」含まず）となる各々の縦長（ＴＬｉ）に相当する先端（１９）からの各々の位置に、先端（１９）側から前記電線（１１５）を咥えて前記各々の縦長（ＴＬｉ）となるジャンパ線（１１６）を得るための咥部縦長利用目盛印（Ｍｑ）とで前記目盛（Ｍｉ）を設けていることを特徴とするラジオペンチ。
【請求項２】
前記咥部（１５）は、
平な面で被咥物を咥えるため右側アーム咥部平面部（１５ａｃ）を有する右側アーム咥部（１５ａ）と前記右側アーム咥部平面部（１５ａｃ）に対向する左側アーム咥部平面部（１５ｂｃ）を有する左側アーム咥部（１５ｂ）とからなり、
前記咥部横幅利用目盛印（Ｍｐ）は、
前記右側アーム咥部平面部（１５ａｃ）又は前記左側アーム咥部平面部（１５ｂｃ）における前記ピッチ（ｐ１）の第１の整数倍（「０」含まず）となる前記各々の両端を各々の咥部横幅（ｗｉ）とし、この各々の咥部横幅（ｗｉ）を得る各々の位置を、咥部横幅利用目盛印位置（Ｍｄｐｉ）とし、
この咥部横幅利用目盛印位置（Ｍｄｐｉ）となる前記右側アーム咥部（１５ａ）又は前記右側アーム咥部（１５ａ）のいずれか若しくは両方のテーパ面の個所にそれぞれが溝又は色の塗布で設けられており、
前記咥部縦長利用目盛印（Ｍｑ）は、
前記先端（１９）の中央から前記右側アーム咥部平面部（１５ａｃ）又は左側アーム咥部平面部（１５ｂｃ）上の咥部平面中心線（Ｌｈ）を通る前記縦長（ＴＬｉ）となる前記右側アーム咥部平面部（１５ａｃ）又は前記左側アーム咥部平面部（１５ｂｃ）の各々の位置を咥部縦長利用目盛印位置（Ｍｄｑｉ）とし、
この咥部縦長利用目盛印位置（Ｍｄｑｉ）となる前記右側アーム咥部（１５ａ）又は前記右側アーム咥部（１５ａ）のいずれか若しくは両方のテーパ面の個所に、前記咥部横幅利用目盛印（Ｍｐ）とは異なる溝又は色の塗布でそれぞれ設けられていることを特徴とする請求項１記載のラジオペンチ。
【請求項３】
前記咥部横幅利用目盛印（Ｍｐ）及び前記咥部縦長利用目盛印（Ｍｑ）は、
前記右側アーム咥部平面部（１５ａｃ）又は前記左側アーム咥部平面部（１５ｂｃ）における咥部平面中心線（Ｌｈ）に対して直角となる方向の前記テーパ面上の位置に設けられていることを特徴とする請求項２記載のラジオペンチ。
【請求項４】
前記咥部横幅利用目盛印（Ｍｐ）及び前記咥部縦長利用目盛印（Ｍｑ）は、丸状の色印又は直線状の溝あるいは直線状の色線であり、
直線状の溝又は直線状の色線の場合は、前記咥部平面中心線（Ｌｈ）に対して直角となるように前記テーパ面上に設けられていることを特徴とする請求項３記載のラジオペンチ。
【請求項５】
前記咥部（１５）は、
平な面で被咥物を咥えるため右側アーム咥部平面部（１５ａｃ）を有する右側アーム咥部（１５ａ）と前記右側アーム咥部平面部（１５ａｃ）に対向する左側アーム咥部平面部（１５ｂｃ）を有する左側アーム咥部（１５ｂ）とからなり、
前記咥部横幅利用目盛印（Ｍｐ）と前記咥部縦長利用目盛印（Ｍｑ）との両方若しくはいずれか一方は、
前記右側アーム咥部平面部（１５ａｃ）上又は前記左側アーム咥部平面部（１５ｂｃ）上のいずれか一方若しくは両方に直線状の溝又は直線状の色線で設けられており、
これは、前記右側アーム咥部平面部（１５ａｃ）又は前記左側アーム咥部平面部（１５ｂｃ）における咥部平面中心線（Ｌｈ）に対して直交するように形成されていることを特徴とする請求項１記載のラジオペンチ。
【請求項６】
前記右側アーム咥部平面部（１５ａｃ）又は左側アーム咥部平面部（１５ｂｃ）には、
前記先端（１９）から前記咥部平面中心線（Ｌｈ）を通って前記咥部横幅利用目盛印（Ｍｐ）及び咥部縦長利用目盛印（Ｍｑ）の各々を直交する縦長利用溝（ＴＭｉ）が形成されていることを特徴とする請求項５記載のラジオペンチ。
【請求項７】
前記咥部横幅利用目盛印（Ｍｐ）、前記咥部縦長利用目盛印（Ｍｑ）及び前記縦長利用溝（ＴＭｉ）は直線状の溝であり、
これらの直線状の溝は、前記基板（１００）で用いる電線（１１５）の直径の略半分の径で形成していることを特徴とする請求項６記載のラジオペンチ。
【請求項８】
前記咥部横幅利用目盛印（Ｍｐ）の位置である咥部横幅利用目盛印位置（Ｍｄｐｉ）までの前記先端（１９）からの縦長（ＴＬｉ）は、
縦長（ＴＬｉ）＝ａ×（ピッチｐｉ−ｂ）／（ｃ−ｂ）
但し、    ａ：右側アーム咥部平面部（１５ａｃ）又は左側アーム咥部平面部（１５ｂｃ）の縦長（テーパ面間隔）
ｐｉ：ピッチｐ１の整数倍（「０」含まず）
ｂ：先端横幅
ｃ：咥部上面最大横幅
にされていることを特徴とする請求項１記載のラジオペンチ。
【請求項９】
前記咥部横幅利用目盛印（Ｍｐ）、前記咥部縦長利用目盛印（Ｍｑ）の各々には該当するピッチを示す記号を設けていることを特徴とする請求項１記載のラジオペンチ。
【請求項１０】
前記咥部（１５）の切断刃部（１１）は、
右側切断刃（１１ａ）と左側切断刃（１１ｂ）とで構成されており、
前記右側切断刃（１１ａ）及び左側切断刃（１１ｂ）は、刃筋（２０）が前記切断刃部（１１）の側面と同一面上に形成されていることを特徴とする請求項１乃至９のいずれかに記載のラジオペンチ。
【手続補正２】
【補正対象書類名】明細書
【補正対象項目名】００２３
【補正方法】変更
【補正の内容】
【００２３】
本発明に係るラジオペンチは、縦横列に一定のピッチ（ｐ１）でスルーホール（１１１）を設けた基板（１００）における必要な長さのジャンパ線（１１６）を得るための目盛（Ｍｉ）を、先端（１９）に向かって次第に厚みが直線状に低下するテーパ形状の直状型の咥部（１５）に設けたラジオペンチであって、
前記咥部（１５）は、
前記ピッチ（ｐ１）の第１の整数倍（「０」含まず）となる各々の咥部横幅（ｗｉ）を得る各々の位置に、電線（１１５）を横に咥えて前記各々の咥部横幅（ｗｉ）となる長さのジャンパ線（１１６）を得るための咥部横幅利用目盛印（Ｍｐ）と、
前記ピッチ（ｐ１）に相当する前記咥部横幅（ｗｉ）に対して前記第１の整数倍（「０」含まず）以上の第２の整数倍（「０」含まず）となる各々の縦長（ＴＬｉ）に相当する先端（１９）からの各々の位置に、先端（１９）側から前記電線（１１５）を咥えて前記各々の縦長（ＴＬｉ）となるジャンパ線（１１６）を得るための咥部縦長利用目盛印（Ｍｑ）とで前記目盛（Ｍｉ）を設けていることを要旨とする。
【手続補正３】
【補正対象書類名】明細書
【補正対象項目名】００５５
【補正方法】変更
【補正の内容】
【００５５】
そして、右側アーム咥部テーパ面１５ａａに設けられた第４目盛用印Ｍｑ４を右側アーム咥部テーパ面第４目盛用印Ｍｑ４ａ、第５目盛用印Ｍｑ５を右側アーム咥部テーパ面第５目盛用印Ｍｑ５ａ、第６目盛用印Ｍｑ６を右側アーム咥部テーパ面第６目盛用印Ｍｑ６ａとも称する。
【手続補正４】
【補正対象書類名】明細書
【補正対象項目名】００６６
【補正方法】変更
【補正の内容】
【００６６】
第４目盛用溝Ｍｄｑ４（Ｍｄｑ４ａ、Ｍｄｑ４ｂ）は、ユニバーサル基板１００のピッチｐ４（４/１０インチ（１０．１６ｍｍ））の間隔をノギス等で計測し、左側アーム咥部平面部先端１９ｂからこの間隔に相当するピッチｐ４用縦長「ｇ」の右側アーム咥部テーパ面１５ａａ及び左側アーム咥部テーパ面１５ｂｂの側面における位置を見つける。そして、この位置に咥部平面中心線Ｌｈ（Ｌａｈ又はＬｂｈ）に対して直角になるように、右側アーム咥部テーパ面１５ａａ及び左側アーム咥部テーパ面１５ｂｂの周囲に成形する。つまり、Ｍｑ４ａ、Ｍｑ４ｂを形成する。
【手続補正５】
【補正対象書類名】明細書
【補正対象項目名】００６７
【補正方法】変更
【補正の内容】
【００６７】
第５目盛用溝Ｍｄｑ５（Ｍｄｑ５ａ、Ｍｄｑ５ｂ）は、ユニバーサル基板１００のピッチｐ５（５/１０インチ（１２．７０ｍｍ））の間隔をノギス等で計測し、左側アーム咥部平面部先端１９ｂからこの間隔に相当するピッチｐ５用縦長「ｈ」の右側アーム咥部テーパ面１５ａａ及び左側アーム咥部テーパ面１５ｂｂの側面における位置を見つける。そして、この位置に咥部平面中心線Ｌｈ（Ｌａｈ又はＬｂｈ）に対して直角になるように、右側アーム咥部テーパ面１５ａａ及び左側アーム咥部テーパ面１５ｂｂの周囲に成形する。つまり、Ｍｑ５ａ、Ｍｑ５ｂを形成する。
【手続補正６】
【補正対象書類名】明細書
【補正対象項目名】００６８
【補正方法】変更
【補正の内容】
【００６８】
第６目盛用溝Ｍｄｑ６（Ｍｄｑ６ａ、Ｍｄｑ６ｂ）は、ユニバーサル基板１００のピッチｐ６（６/１０インチ（１５．２４ｍｍ））の間隔をノギス等で計測し、左側アーム咥部平面部先端１９ｂからこの間隔に相当するピッチｐ６用縦長「ｉ」の右側アーム咥部テーパ面１５ａａ及び左側アーム咥部テーパ面１５ｂｂの側面における位置を見つける。そして、この位置に咥部平面中心線Ｌｈ（Ｌａｈ又はＬｂｈ）に対して直角になるように、右側アーム咥部テーパ面１５ａａ及び左側アーム咥部テーパ面１５ｂｂの周囲に成形する。つまり、Ｍｑ６ａ、Ｍｑ６ｂを形成する。
【手続補正７】
【補正対象書類名】明細書
【補正対象項目名】００６９
【補正方法】変更
【補正の内容】
【００６９】
前述のピッチｐ４用縦長「ｇ」、ピッチｐ５用縦長「ｈ」、ピッチｐ６用縦長「ｉ」を得るための整数倍（「０」を含まず：４、５、６）を第２の整数倍（第１の整数倍以上）ともいう。
【手続補正８】
【補正対象書類名】明細書
【補正対象項目名】００７５
【補正方法】変更
【補正の内容】
【００７５】
また、図３（ｂ）には左には、右側アーム咥部１５ａの上面における第１目盛用印Ｍｐ１を示し、図３（ｂ）の中央には、右側アーム咥部１５ａの上面における第２目盛用印Ｍｐ２を示し、右端には第３目盛用印Ｍｐ３を示して説明する。
【手続補正９】
【補正対象書類名】明細書
【補正対象項目名】００７６
【補正方法】変更
【補正の内容】
【００７６】
また、図３（ｃ）には図３（ａ）の左側面を示して説明する。図３（ｃ）においては、第４目盛用印Ｍｑ４（Ｍｑ４ａ、Ｍｑ４ｂ）、第５目盛用印Ｍｑ５（Ｍｑ５ａ、Ｍｑ５ｂ）、第６目盛用印Ｍｑ６（Ｍｑ６ａ、Ｍｑ６ｂ）を示している。
【手続補正１０】
【補正対象書類名】明細書
【補正対象項目名】００７７
【補正方法】変更
【補正の内容】
【００７７】
すなわち、図３に示すように、ユニバーサル基板１００のピッチＰ１（１／１０インチ：２．５４ｍｍ）は第１目盛用印Ｍｐ１に対応し、ピッチＰ２（２／１０インチ：５．０８ｍｍ）は第２目盛用印Ｍｐ２に対応し、ピッチｐ３（３／１０インチ：７．６２ｍｍ）は第３目盛用印Ｍｐ３に対応している。
【手続補正１１】
【補正対象書類名】明細書
【補正対象項目名】００７８
【補正方法】変更
【補正の内容】
【００７８】
さらに、ピッチＰ４（４／１０インチ：１０．１６ｍｍ）は第４目盛用印Ｍｑ４に対応し、ピッチＰ５（５／１０インチ：１２．７０ｍｍ）は第５目盛用印Ｍｑ５に対応し、ピッチｐ６（６／１０インチ：１５．２４ｍｍ）は第６目盛用印Ｍｑ６に対応している。
【表１】
2017071035.tif 000018
【手続補正１２】
【補正対象書類名】明細書
【補正対象項目名】００８３
【補正方法】変更
【補正の内容】
【００８３】
図４（ａ）に示すように、第１目盛用印Ｍｐ１には、ピッチｐ１（１／１０インチ（２．５４ｍｍ））の長さに該当することを示す記号「ｐ１」を印字し、第２目盛用印Ｍｐ２にはピッチｐ２（２/１０インチ（５．０８ｍｍ））の長さに該当することを示す記号「ｐ２」を印字し、第３目盛用印Ｍｐ３にはピッチｐ３（３/１０インチ（７．６２ｍｍ））であることを示す記号「ｐ３」を印字するのが好ましい。
【手続補正１３】
【補正対象書類名】明細書
【補正対象項目名】００８４
【補正方法】変更
【補正の内容】
【００８４】
さらに、図４（ｂ）に示すように、第４目盛用印Ｍｑ４には、ピッチｐ４（４/１０インチ（１０．１６ｍｍ））の長さに該当することを示す記号「ｐ４」を印字し、第５目盛用印Ｍｑ５にはピッチｐ５（５/１０インチ（１２．７０ｍｍ））の長さに該当することを示す記号「ｐ５」を印字し、第６目盛用印Ｍｑ６にはピッチｐ６（６/１０インチ（１５．２４ｍｍ））の長さに該当することを示す記号「ｐ６」を印字するのが好ましい。
【手続補正１４】
【補正対象書類名】明細書
【補正対象項目名】００８７
【補正方法】変更
【補正の内容】
【００８７】
上記の第１目盛用印Ｍｐ１（ピッチｐ１）〜第３目盛用印Ｍｐ３（ピッチｐ３）に相当する長さの目盛を付ける位置については、直線状に次第に厚みが先端に向かって細くなるテーパ面を有する場合は、そのテーパ面の勾配に依存する。
【手続補正１５】
【補正対象書類名】明細書
【補正対象項目名】００８９
【補正方法】変更
【補正の内容】
【００８９】
また、ピッチｐ１からピッチｐ３を得るための、第１目盛用印Ｍｐ１、第２目盛用印Ｍｐ２、第３目盛用印Ｍｐ３の位置である咥部横幅利用目盛印位置Ｍｄｐｉまでの長さを、先端１９からそれぞれ、「ｄ」、「ｅ」、および「ｆ」とすると、これらの縦長ＴＬｉは、次式で求めることができる。ただし、単位はｍｍである。
【手続補正１６】
【補正対象書類名】明細書
【補正対象項目名】００９０
【補正方法】変更
【補正の内容】
【００９０】
先端１９から第１目盛用印Ｍｐ１までの縦長ＴＬｉである「ｄ」は、
ｄ= ａ × （２.５４ − ｂ）/ （ｃ−ｂ） （ｍｍ）
・・・・・・・・・・・・・式１（２．５４はピッチｐ１）
先端１９から第２目盛用印Ｍｐ２までの縦長ＴＬｉである「ｅ」は、
ｅ = ａ × （５．０８ − ｂ）/ （ｃ−ｂ）（ｍｍ）
・・・・ 式２ （５．０８はピッチｐ２）
先端１９から第３目盛用印Ｍｐ３までの縦長ＴＬｉである「ｆ」は、
ｆ = ａ × （７．６２ − ｂ）/ （ｃ −ｂ）（ｍｍ）
・・・・・・式３（７．６２はピッチｐ３）
として算出できる。
【手続補正１７】
【補正対象書類名】明細書
【補正対象項目名】００９１
【補正方法】変更
【補正の内容】
【００９１】
一方、第４目盛用印Ｍｑ４（ピッチｐ４）〜第６目盛用印Ｍｑ６（ピッチｐ６）までの先端１９からの縦長ＴＬｉは、それぞれを「ｇ」、「ｈ」、および「ｉ」とするとき、以下となる。ただし、単位はｍｍである。
【手続補正１８】
【補正対象書類名】明細書
【補正対象項目名】００９２
【補正方法】変更
【補正の内容】
【００９２】
先端１９から第４目盛用印Ｍｑ４までの縦長ＴＬｉである「ｇ」は、
ｇ =１０．１６（ｍｍ）・・・・・・・・・ 式４（１０．１６はピッチｐ４）
先端１９から第５目盛用印Ｍｑ５までの縦長ＴＬｉである「ｈ」は、
ｈ=１２．７０ （ｍｍ）・・・式５（１２．７０はピッチｐ５） 
先端１９から第６目盛用印Ｍｑ６までの縦長ＴＬｉである「ｉ」は、
ｉ = １５．２４（ｍｍ）・・・・・・ 式６（１５．２４はピッチｐ６）
として決定する。
【手続補正１９】
【補正対象書類名】明細書
【補正対象項目名】００９３
【補正方法】変更
【補正の内容】
【００９３】
つまり、第４目盛用印Ｍｑ４〜第６目盛用印Ｍｑ６については、ユニバーサル基板１００のピッチを計測して決定した値を式４〜式６とし、これらを用いて決定している。
【手続補正２０】
【補正対象書類名】明細書
【補正対象項目名】０１００
【補正方法】変更
【補正の内容】
【０１００】
すなわち、電線１１５を左手で持って咥部電線長計測用目盛付ラジオペンチ３０を右手に持って電線１１５を第１目盛用印Ｍｐ１、第２目盛用印Ｍｐ２、第３目盛用印Ｍｐ３に合わせて右側アーム咥部１５ａ及び左側アーム咥部１５ｂで噛むことで容易にピッチｐ１（１／１０インチ（２．５４ｍｍ））、ピッチｐ２（２/１０インチ（５．０８ｍｍ））、ピッチｐ３（３/１０インチ（７．６２ｍｍ））のジャンパ線１１６を得ることができる。
【手続補正２１】
【補正対象書類名】明細書
【補正対象項目名】０１０３
【補正方法】変更
【補正の内容】
【０１０３】
図６（ａ）に示すように、電線１１５を左手で持って、先端１９から第５目盛印Ｍｑ５まで電線１１５を合わせる。そして、咥部１５で噛んだ状態にする。
【手続補正２２】
【補正対象書類名】明細書
【補正対象項目名】０１０６
【補正方法】変更
【補正の内容】
【０１０６】
すなわち、電線１１５を左手で持って咥部電線長計測用目盛付ラジオペンチ３０を右手に持って電線１１５を第４目盛用印Ｍｑ４、第５目盛用印Ｍｑ５、第６目盛用印Ｍｑ６に合わせて右側アーム咥部１５ａ及び左側アーム咥部１５ｂで噛むことで容易にピッチｐ４（４/１０インチ（１０．１６ｍｍ））、ピッチｐ５（５/１０インチ（１２．７０ｍｍ））、ピッチｐ６（６/１０インチ（１５．２４ｍｍ））のジャンパ線１１６を得ることができる。
【手続補正２３】
【補正対象書類名】明細書
【補正対象項目名】０１２３
【補正方法】変更
【補正の内容】
【０１２３】
この縦長利用溝ＴＭｉは、先端１９の中央から左側アーム咥部平面部１５ｂｃ（又は右側アーム咥部平面部１５ａｃ）の後辺の中央を通る咥部平面中心線Ｌｈ（Ｌａｈ、Ｌｂｈ）に沿って形成する。
【手続補正２４】
【補正対象書類名】明細書
【補正対象項目名】０１２９
【補正方法】変更
【補正の内容】
【０１２９】
１９  先端
１５  咥部
３０  咥部電線長計測用目盛付ラジオペンチ
１６  切断部
１１  切断刃部
１１ａ  右側切断刃
１１ｂ  左側切断刃
１５ａ  右側アーム咥部
１５ｂ  左側アーム咥部
１５ａｃ  右側アーム咥部平面部
１５ｂｃ  左側アーム咥部平面部
Ｍｉ  目盛
１９ａａ  右側アーム咥部平面後端
Ｌｈ  咥部平面中心線
Ｍｐ  咥部横幅利用目盛印
Ｍｑ  咥部縦長利用目盛印
【手続補正２５】
【補正対象書類名】図面
【補正対象項目名】図２
【補正方法】変更
【補正の内容】
【図２】
2017071035.tif 000019